(57)【要約】【課題】従来型よりも少ない材料を使用しかつ作動不能となるような永久変形を伴うことなく長期間にわたり作動するのに充分な剛性を有するリングバインダー機構を提供する。【解決手段】ルーズリーフ頁保持のためのリング機構が中央頂部および概ね中央頂部に対向する開放底部を有するハウジングを含んでいる。中央頂部はその中にハウジングの全長に沿い長手方向に延びる溝を備えている。ハウジングにより支持されている複数のヒンジプレートはハウジングに関連して枢動し得る。ヒンジプレートはリング部材を支持し、リング部材はヒンジプレートと共に開閉してルーズリーフ頁の追加削除のために枢動する。一つのバージョンでは、ハウジングのために溝に追加の剛性を持たせてハウジングを骸骨構造とし得る。【選択図】図２
2007062355.tif 000002
【特許請求の範囲】
【請求項１】
ルーズリーフ頁保持のためのリング機構であって、その機構が：
長手方向軸、中央頂部および概ね中央頂部に対向する開放底部を有するハウジング、上記中央頂部はその中にハウジングの全長に沿う長手方向に延びる溝を備えかつ反対側の端部および中間部分を備えており；
ハウジングに関連して枢動するためにハウジングにより支持されている複数のヒンジプレート；
ルーズリーフ頁保持のための複数のリングを包含し、各リングは第１リング部材および第２リング部材を含み、第１リング部材は第１ヒンジプレート上に装着されかつ第２リング部材に関連して閉塞位置および開放位置の間で第１ヒンジプレートの枢動と共に可動であり、閉塞位置では２個のリング部材は実質的に円形の、閉塞したループを形成してリングにより保持されているルーズリーフ頁がリングに沿い一つのリング部材から他方のリング部材へと動かされることを許容し、かつ開放位置では２個のリング部材が不連続な開放ループを形成してルーズリーフ頁をリングから除去しまたは加え得るようにした、リング機構。
【請求項２】
溝が長さに沿い異なる横断面を有する、請求項１に記載のリング機構。
【請求項３】
横断面が横方向に異なる、請求項２に記載のリング機構。
【請求項４】
横断面が垂直方向に異なる、請求項２に記載のリング機構。
【請求項５】
溝がその長さに沿い実質的に同じ横断面を有する、請求項１に記載のリング機構。
【請求項６】
ハウジングが少なくとも一つの長手方向端縁に沿い切抜きを有する、請求項１に記載のリング機構。
【請求項７】
切抜きがリング部材を受領しない、請求項６に記載のリング機構。
【請求項８】
ヒンジプレートはそれぞれ少なくとも一つの長手方向端縁に沿う切抜きを備えている、請求項６に記載のリング機構。
【請求項９】
各ヒンジプレート上の少なくとも幾つかの切抜きはハウジング内の切抜きに対応するヒンジプレートの長手方向外縁に沿い配置されている、請求項８に記載のリング機構。
【請求項１０】
溝がハウジングの残部から上方へ突出している、請求項１に記載のリング機構。
【請求項１１】
溝がハウジング内に下方へ延びている、請求項１に記載のリング機構。
【請求項１２】
ルーズリーフ頁保持のためのリング機構であって、その機構が：
長手方向軸、中央頂部および概ね中央頂部に対向する開放底部を有するハウジング、ハウジング上の少なくとも一つのリブがその長手方向軸に対して概ね横方向に配置されている；
ハウジングに関連して枢動するためにハウジングにより支持されている複数のヒンジプレート；
ルーズリーフ頁保持のための複数のリングを包含し、各リングは第１リング部材および第２リング部材を含み、第１リング部材は第１ヒンジプレート上に装着されかつ第２リング部材に関連して閉塞位置および開放位置の間で第１ヒンジプレートの枢動と共に可動であり、閉塞位置では２個のリング部材は実質的に円形の、閉塞したループを形成してリングにより保持されているルーズリーフ頁がリングに沿い一つのリング部材から他方のリング部材へと動かされることを許容し、かつ開放位置では２個のリング部材が不連続な開放ループを形成してルーズリーフ頁をリングから除去しまたは加え得るようにした、リング機構。
【請求項１３】
ハウジングの長手方向軸に沿い間隔を隔てて配置された複数のリブを含んでいる、請求項１２に記載のリング機構。
【請求項１４】
ルーズリーフ頁保持のためのリング機構であって、その機構が：
長手方向軸、中央頂部および概ね中央頂部に対向する開放底部を有するハウジング；
ハウジングに関連して枢動するためにハウジングにより支持されている複数のヒンジプレート；
ルーズリーフ頁保持のための複数のリングを包含し、各リングは第１リング部材および第２リング部材を含み、第１リング部材は第１ヒンジプレート上に装着されかつ第２リング部材に関連して閉塞位置および開放位置の間で第１ヒンジプレートの枢動と共に可動であり、閉塞位置では２個のリング部材は実質的に円形の、閉塞したループを形成してリングにより保持されているルーズリーフ頁がリングに沿い一つのリング部材から他方のリング部材へと動かされることを許容し、かつ開放位置では２個のリング部材が不連続な開放ループを形成してルーズリーフ頁をリングから除去しまたは加え得るように構成し；
ハウジングはまたリング部材が閉塞位置にある時対応する第１または第２リング部材を受領するためにその中に画定された複数の開口を備え、各開口を近くで取り囲むハウジングの領域はその中に形成された隆起を備えている、リング機構。
【請求項１５】
ルーズリーフ頁保持のためのリング機構であって、その機構が：
長手方向軸、中央頂部、概ね中央頂部に対向する開放底部、およびハウジングの長さに沿い延びる対向長手方向エッジを有するハウジング、このハウジングはハウジングの長さに沿い間隔を隔てて配置されかつ対向する長手方向エッジの何れか内に延びる複数の分離した開口を備え；
ハウジングに関連して枢動するためにハウジングにより支持されている複数のヒンジプレート；
ルーズリーフ頁保持のための複数のリングを包含し、各リングは第１リング部材および第２リング部材を含み、第１リング部材は第１ヒンジプレート上に装着されかつ第２リング部材に関連して閉塞位置および開放位置の間で第１ヒンジプレートの枢動と共に可動であり、閉塞位置では２個のリング部材は実質的に円形の、閉塞したループを形成してリングにより保持されているルーズリーフ頁がリングに沿い一つのリング部材から他方のリング部材へと動かされることを許容し、かつ開放位置では２個のリング部材が不連続な開放ループを形成してルーズリーフ頁をリングから除去しまたは加え得るようにした、リング機構。
【請求項１６】
開口を有するヒンジプレートを含み、これらの開口がハウジング内に画定された開口と対応しかつ並置されている、請求項１５に記載のリング機構。
【発明の詳細な説明】
【技術分野】
【０００１】
本発明はルーズリーフ頁保持のためのリングバインダー機構に関し、かつ特に強く、軽量でかつ従来型バインダー機構よりも使用材料の少ないリングバインダー機構に関する。
【背景技術】
【０００２】
当業界で知られているように、典型的なリングバインダー機構は孔の開けられた頁のようなルーズリーフ頁をファイルまたはノートブック内に保持する。それはそれぞれ２個のリング部材半体を含む多数のリングを備え、このリング部材は選択的に頁を取り除きまたは加えるために開放され、または頁を保持してそれらがリング部材に沿い動くことを許容するように閉塞される。リング部材は２個の隣接したヒンジプレート上に装着され、これらのプレートは伸長ハウジング内での枢動のために枢軸周りに互いに係合される。ハウジングはヒンジプレートを緩く支持してハウジングに関連して枢動させ得る。変形されていないハウジングはヒンジプレートが同一平面位置（１８０°）にある時の係合状態のヒンジプレートよりも僅かに狭い。そのためヒンジプレートがこの位置を通して枢動すると、それらは弾性的なハウジングを変形させかつハウジング内にばね力を起こしてヒンジプレートを同一平面から離れるリング部材開放または閉塞のいずれかの位置へ付勢する。このようにして、リング部材が閉塞されるとばね力はヒンジプレートの動きに抵抗しかつリング部材を互いにクランプする。同様に、リング部材が開放されると、ばね力はそれらを離れた状態に保つ。オペレーターは一般的に手動でリング部材を離すように引きまたは互いに押すことにより上記の力に打ち勝ち得る。更に、ある機構においては、オペレーターは機構の一端または両端部に配置されているレバーを動かしてヒンジプレートを同一平面を通して動かす。
【０００３】
そのような従来型のリングバインダーは比較的に大量の材料、通常スチール、を使用し、かつ使用中に永久的に変形しないようにするためにはそれらの剛性を維持するために比較的に重くなる。
【発明の開示】
【発明が解決しようとする課題】
【０００４】
従って、従来型よりも少ない材料を使用しかつ作動不能となるような永久変形を伴うことなく長期間にわたり作動するのに充分な剛性を有するリングバインダー機構に対する要求がある。
【課題を解決するための手段】
【０００５】
ルーズリーフ頁保持のためのリング機構は概ねハウジングに関連してヒンジプレートを枢動させるために支持するハウジングを包含している。機構はまた
ルーズリーフ頁保持のための複数のリングを含んでいる。各リングは第１リング部材および第２リング部材を含んでいる。第１リング部材は第１ヒンジプレート上に装着されかつ第２リング部材に関連して第１ヒンジプレートの枢動と共に可動である。２個のリング部材は閉塞位置および開放位置の間で動く。閉塞位置では、２個のリング部材は実質的に連続した、閉塞ループを形成してリングにより保持されているルーズリーフ頁がリングに沿い一つのリング部材から他方のリング部材へと動かされることを許容している。開放位置では、２個のリング部材は不連続な開放ループを形成してルーズリーフ頁をリングから除去しまたは加え得るようにしている。
【０００６】
一つの形態においては、リングバインダー機構ハウジングは長手方向軸、中央頂部および概ね中央頂部に対向する開放底部を備えている。中央頂部はその中にハウジングの全長に沿う長手方向に延びる溝を備えている。この溝は反対端部および中間部分を備えている。この溝は一端から他端へ一定横断面であってもよくまたはその長さに沿い異なる横断面を備えていてもよい。
【０００７】
別の形態においては、リングバインダー機構は長手方向軸、中央頂部および中央頂部に概ね対向する開放底部を有するハウジングを備え、かつその長手方向軸に対して横方向に配置されたハウジング上の少なくとも一つのリブを備えている。ハウジングはハウジングの長手方向軸に沿い間隔を隔てて配置された複数のリブを含み得る。
【０００８】
更に別の形態においては、リングバインダー機構ハウジングはリング部材が閉塞位置にある時対応する第１および第２リング部材を受領するために形成された複数の開口を備え、そのような各開口の近傍を囲むハウジングの領域はその中に形成された隆起を備えている。
【０００９】
別の形態においては、リングバインダー機構ハウジングは長手方向軸、中央頂部、中央頂部に概ね対向する開放底部、およびハウジングの長さに沿い延びる対向横向きエッジを備え、ハウジングはハウジングの長さに沿い間隔を隔てて配置されかつ対向横向きエッジ内に延びている複数の分離した開口を備えている。ヒンジプレートは好ましくは複数の開口を備え、これらの開口はその中に画定されハウジング内に画定配置されている開口と対応しかつ並置されている。好ましくは、ヒンジプレート内の開口はそれらがハウジングの上方から直接には見ることができず、これはヒンジプレート内の開口がハウジング内の対応する開口よりも大きい結果であり得る。
【００１０】
本発明の他の特徴は部分的には明らかでありかつ部分的には以下に指摘されるであろう。
【発明を実施するための最良の形態】
【００１１】
図面において、図１はノートブック３内で、概ね関連符号１により指示されている従来型リングバインダーの例を示しており、その中に本発明の実施例が利用され得る。この機構はノートブック内にルーズリーフ頁（図示されていない）を保持可能である。特に、機構１はノートブック３の背骨５上に装着されているように示されており、上記ノートブックは背骨に対して枢着された前カバー７および後カバー９を備えて良く知られている方法で保持されている頁を選択的に覆いまたは露出させるように動く。
【００１２】
見得るように、機構１は概ね関連符号１１により明示されているハウジングを含み、このハウジングはそれぞれ関連符号１３により明示されている３個のリングを支持している。各リングは２個のリング部材を含んでおり、これらは後述されるであろう。概ね関連符号１５により明示されているレバー（広義には“アクチュエーター”）はハウジング１１の長手方向一端部に枢着されているように示されておりかつリング１３のリング部材を閉塞位置および開放位置の間で動かし得る。レバー１５はまたリングを閉塞状態にロックするように可動であり、これは後に詳述される通りである。図示された機構１内で、ハウジング１１の第２の長手方向端部は作動用レバーを備えていない。しかしながらハウジングの両端部に作動用レバーを有する機構も本発明の範囲から離れるものではないことは理解されるべきである。更に、レバー以外のアクチュエーター（例えば、プッシュボタン）も本発明の範囲内で使用され得る。更に、３個より多いまたは少ない、異なる数のリング付きの機構も本発明の範囲から離れるものではない。なお更に、本発明のリング機構はそれ自体としてノートブック以外の支持構造体に使用され得る。
【００１３】
本発明に従った第１実施例を描写している図２−７において、かつまず図２および３で、ハウジング２０は細長くかつ均一で、かつ中央に溝２０を有する概ねアーチ形の隆起された横断面を備えている。２個の開口２４ａおよび２４ｂが溝内に備えられて第１および第２装着用ポスト２６ａおよび２６ｂを受領装着し概ね３０で明示されている機構をノートブック３（図１）の背骨５に対し固着している。リング機構３０が前または後カバー７、９の何れかに取り付けられ、またはノートブック３と組み合わされない別の面に取り付けられることも評価されるであろう。ハウジング２０はまた長手軸、２個の概ね反対側の長手方向エッジ３２および３４、および反対側の端部３６および３８を備えている。
【００１４】
図３および４内に示されているように、機構３０は２個の実質的に同様なヒンジプレート４０および４２を含んでいる。各ヒンジプレートは薄い、細長いシートで内側および外側の長手方向縁４４および４６および２個の反対側の端部４８および５０を備えている。それぞれ結合されるリング部材５４から成る３個のリング５２がそれぞれのヒンジプレート４０および４２に対して固着されている。
【００１５】
各リング５２のリング部材５４は概ね横断面が円形でかつ軸方向に間隔を隔ててヒンジプレート４０および４２の上面上に装着されている。それらはハウジング２０内に形成された開口５５を通してヒンジプレート４０および４２と結合されて閉塞位置および開放位置の間の動作中に可動であり、上記閉塞位置（例えば、図２および４）では各リング部材はルーズリーフの頁を保持するために連続した、閉じた円形ループを形成し、かつ開放位置（図５および６）では各リング部材は頁の追加または除去に適するように不連続な、開放ループを形成する。異なる横断面を有するリング部材または閉塞された時に異なる形（例えば、Ｄ−形）を形成するリング部材も本発明の範囲から離れるものではない。描写された実施例では各リング５２の両リング部材５４が可動であるが、一つのリング部材が可動であり他方が固定されている機構も本発明の範囲を離れない（例えば、各リングの一つのリング部材はヒンジプレート上に装着されかつもう一つがハウジング上に装着されている機構）。
【００１６】
当業界で知られているように、ヒンジプレート４０および４２はそれらの隣接した長手方向内縁で並列に相互連結して枢軸を有する中央ヒンジを形成し、これは２個のプレート４０および４２が互いに枢支されて各リング５２のそれぞれのリング部材５４が閉塞位置および開放位置の間で動くことを許容する。連結されたプレート４０および４２は概ねハウジング２０により支持されて各プレートの長手方向外側縁がハウジング２０の湾曲リム部分５６上に緩くフィットする。従って、ヒンジプレート４０および４２はハウジング２０上に保持されるがそれらの外側縁はリム５６内で自由であり、プレート４０および４２の枢軸周りの自由な枢動が許容されている。枢軸はヒンジプレート４０および４２がリング部材５４を開くように枢動すると上方（即ち、ハウジングの上面側）へ動き、かつプレート４０および４２がリング部材５４と閉じるように枢動すると下方（即ち、ハウジングの上面から離れる側）へ動く。
【００１７】
各ヒンジプレート４０および４２の長手方向内縁に沿い１対の丸められた切抜き５８が配置され、一方、プレート４０および４２の両端部の内縁に沿い矩形のノッチ６０が同様に配置されている。ヒンジプレートが相互作用する時、隣接ヒンジプレート４０および４２内の対応する切抜き５８が整合しかつプレートの枢軸周りに対称配置された２個の開口を形成する。これらの開口はそれらを通して装着用ポスト２６ａおよび２６ｂを受領し、かつヒンジプレートがポスト２６ａおよび２６ｂに関連してそれらに噛み合うことなく枢動することを許容する。ノッチ６０も同様に整合しかつプレート４０および４２の反対側端部に箱形の凹部を形成する。各凹部は後に詳述されるように作動用レバー６４の対応部分を受領し、かつレバーがリング部材５４を開放および閉塞するようにヒンジプレート４０および４２との相互作用を許容する。
【００１８】
図３および４内に示されているように、２個の作動用レバー６４はそれぞれヘッド６６を含んでおり、このヘッドはレバーからハウジング２０の上方へ延びてオペレーターがレバー６４を掴みかつ枢動させることを許容している。各レバー６４は更に横アーム６８およびカム７０を含んでいる。アーム６８は各レバー６４の反対側から外側横向きに突出してハウジング２０の長手方向端部に配置されているタブ７２により形成されている２個のポケット内に緩くフィットしてハウジングに対して横向きの軸周りにハウジングに対して枢動する。各レバーのカム７０は横アーム６８の下側でレバーに対して一体に取り付けられかつアームから下方へ延びてヒンジプレート４０および４２の対応する箱形凹部（ノッチ６０により形成されている）の一つ内にフィットする。各カムの拡大されたタブ７４（一つのカムのタブのみが図３および４内に示されている）は相互連結されているヒンジプレート４０および４２に概ね緩くフィットしており、一方、各カムのベース７６はプレートの下側に概ね休止している。共に、タブ７４およびベース７６はそれらの間にヒンジプレート４０および４２を解放可能にロックしてリング部材５４を閉塞および開放させるヒンジプレートの枢動を制御するように作動可能に噛み合わせる。リング部材５４を閉塞するように作動させる時（図示されていない）、レバー６４は上方かつ内方へ枢動させられる。各レバーのタブ７４はヒンジプレート４０および４２の頂面に噛み合いかつプレートの枢軸を下方へ引く。リング部材５４を開くためには、レバー６４は外側および下方へ枢動させられる。各レバーのベース７６はヒンジプレートの底面に噛み合いかつプレートの枢軸を上方へ押す。
【００１９】
この機構３０においては、ハウジング２０はヒンジプレートが同一面位置（即ち、ヒンジプレート４０および４２の外側表面間の角度が１８０°）にある時の結合されたヒンジプレート４０および４２よりも僅かに狭い。ヒンジプレート４０および４２はこの点を通して枢動するので、それらは弾性的なハウジング２０を変形させてハウジング内にばね力を起こしこれがヒンジプレートを同一面から離れる方向に枢動させ、リング部材５４を閉塞し（即ち、枢軸をハウジング上面から離れる下方へ動かし）またはそれらを開放させる（即ち、枢軸をハウジング上面側上方へ動かす）。更に、リング部材５４が閉塞されると、ハウジングのこのばね力はヒンジプレートの動きに抵抗しかつリング部材を共にクランプする。リング部材５４が開放されると、ばね力はそれらを離れた状態に保つ。リング部材の相対運動を起こしかつそれらを閉塞または開放位置に保持するための他の機構は本発明の範囲から離れることなく使用され得ることは理解されるべきことである。
【００２０】
特に図２、３および５において、前述されたように、ハウジング２０は溝２２を備え、この溝はこの実施例においては端部８０から端部８２へ相違した横断面を備えている。溝２２の中央部分８４は一定の箱形横断面を備えてハウジング２０の長さの約２／３だけ延びているがこの中央部分の長さはハウジング２０の剛性のために所望されると変わり、これはこの横断面形状の目的であるからである。遷移部分８６および８８で溝は高さは同一であるが横に絶えず拡開する横断面を備え、各遷移部分はそれぞれ外側の一定箱形横断面部分に接合している。中央部分８４、遷移部分８６および８８および端部９０および９２はハウジング２０の所望剛性を得るためにその長さおよび横断面が、所望されるように、変更され得る。
【００２１】
上述の剛性構造に加えて、この実施例の更なる形態はハウジングからのかなりの量の材料の除去であり、これはハウジング２０の長手方向エッジ３２および３４およびリム５６を通して側縁９４、９６および９８に形成された一連の概ね台形切抜き９３により行われる。これらの切抜き９３はハウジング２０の構造上の剛性を減すが、上述の溝２２の横断面構造により補償され、従って従来技術の器具から材料使用量を減してハウジング２０内に好適な構造上の剛性を提供し得る。
【００２２】
またこの実施例においては、ヒンジプレート４０および４２は各ヒンジプレート内の長手方向エッジ１０６および１０８内に側縁１００、１０２および１０４に形成された概ね台形の切抜き９９を備えている。これらの台形切抜き９９は好ましくは、ヒンジプレートがハウジング内に図２および３内に示されているように組み立てられた時、ハウジング２０内の対応する台形切抜き９９と整列される。更に、概ね半円形横断面の隆起１１０（またはどちら側からそれが見られるかにより凹部）がヒンジプレート４０および４２内に形成されその形はヒンジプレート内の切抜き９９により形成されたパターンに従い切抜き９９の形成のための材料の除去されているヒンジプレートに対して追加の剛性を加えている。
【００２３】
本発明の第２実施例のハウジング１２０は図８Ａ−８Ｃ内に描写されており、その中で以前の実施例内の溝２２と同様な溝１２２の横断面は装着用ポスト（示されていない）を受領するための開口１２４ａおよび１２４ｂの領域内を除いて基本的に一定であり、上記開口部では開口に合わせて拡大されている。この実施例においては、ハウジング１２０も台形切抜き１２９を備えており、これらの切抜きは長手方向エッジ１３２および１３４内に側縁１９４、１９６および１９８により形成されている。ヒンジプレート（示されていない）は第１実施例内と同様に形成され得る。図８Ｃ内に示されているように、溝１２２の幅Ｄ１はハウジング１２０の幅Ｄ２の約１／３でありかつ高さＨ１はハウジング１２０の高さＨ２の約１／４である。第１実施例は同様に配分されている。
【００２４】
本発明の第３実施例は図９−１３内に描写されている。この実施例において溝２２２はハウジング２２０内に形成されかつ一定の箱形横断面の中央部分２８４を備え、この中央部分はハウジング２２０の長さの実質的部分だけ延びている。しかしながら、端部分２９０および２９２は中央部分２８４と実質的に同じ一定幅を保持しているが、ハウジング２２０の本体の面に向かい下方へ傾斜しかつハウジング２２０の各端部を越えて形成されているカップ形部分２９４内に合流している。各カップ形部分はその中に形成された開口２２４を備えて２６ａおよび２６ｂのような装着用ポストを受領し得るようにしている。ハウジング２２０の長手方向エッジ２３２および２３４は側縁２３６、２３８および２４０により形成されている台形切抜き２３５を備えている。同様に、ヒンジプレート２４２および２４４（図１３参照）はそれらの長手方向エッジ２４６および２４８に沿い側縁２５０、２５２および２５４により形成されている台形切抜き２４５を備えている。
【００２５】
本発明の第４実施例は図１４Ａ−１４Ｃ内に描写されている。この実施例は第３実施例と同様であるが、例外は中央部分３８４がその長さに沿い一定横断面であり、各端部には遷移部分３８６および３８８があり、各遷移部分は一定高さを維持しているが低減する横幅を備えている。遷移部分３８６および３８８は端部分３９０および３９２と接合し、端部分は以前の実施例の端部分２９０および２９２のように形成される。他の点では、第４実施例は第３実施例と同様に形成される。この実施例においては、部分３８４の幅Ｄ１はハウジング２２０の幅Ｄ３の約１／３であり、端部分２９０および２９２の幅Ｄ２はハウジング２２０の幅Ｄ３の約４０％でありかつ高さＨ１はハウジング２２０の高さＨ２の約１／４である。第３実施例は同様に配分されている。
【００２６】
第５実施例は図１５−図１９内に描写されている。この実施例においては溝４２２の構造は第１実施例のものと同様であり、何故ならば溝中央部分４８４は一定の箱形横断面を備え、この中央部分はハウジング４２０の長さの約３／４だけ延び、中央部分の長さはハウジング４２０を強くするための要望に応じて変更可能であり、ハウジングはこの横断面の目的だからである。遷移部分４８６および４８８で溝は継続して横に拡張する横断面を備え、一方、同じ高さを保ち、各遷移部分はそれぞれ外側の一定箱形横断面端部４９０および４９２に接合している。中央部分４８４、遷移部分４８６および４８８および端部４９０および４９２は長さおよび横断面をハウジング４２０の所望剛性を得るために、所望通りに変更され得る。この実施例においては、ハウジング４２０は、前述の実施例のように、切抜きを備えておらず、ヒンジプレート４４０および４４２も切抜きを備えていない。溝４２２およびハウジング４２０の比率は第４実施例と同様である。
【００２７】
第６実施例は図２０Ａ−２０Ｃ内に描写されている。この実施例においてハウジング５２０は溝５２２を備え、この溝は第２実施例のそれと同様であり、その横断面は装着用ポスト（示されていない）受領のための開口５２４ａおよび５２４ｂの領域を除き基本的に一定であり、かつ上記領域では開口に合わせて拡大されている。この実施例においては、ハウジング５２０はその長手方向エッジ内に形成される台形切抜きを備えていない。図２０Ｃ内に示されているように、溝５２２の幅Ｄ１はハウジング５２０の幅Ｄ２の約１／３でありかつ高さＨ１はハウジング５２０の高さＨ２の約１／４である。
【００２８】
第７実施例は図２１−図２５内に描写されている。この実施例において溝６２２はハウジング６２０内に形成されかつ一定箱形横断面の中央部分６８４を備え、この中央部分はハウジング６２０の長さの実質的部分を延びている。しかしながら、端部分６９０および６９２は中央部分６８４と同じ幅の実質的に一定幅を保っているが、ハウジング６２０のメインボデーの面へ向かい下方へ傾斜してハウジング６２０の各端部に形成されているカップ形部分６９４内に合流されている。各カップ形部分は装着用ポスト受領のために形成されている開口６２４を備えている。この実施例においては、ハウジング６２０は、ある前述の実施例のように、切抜きを備えておらず、ヒンジプレート６４０および６４２も切抜きを備えていない。ハウジング６２０および溝６２２の比率は図１４Ａ−図１４Ｃ内に描写されている第４実施例と同じである。
【００２９】
第８実施例は図２６Ａ−２６Ｃ内に示されている。この実施例は第７実施例と同様であり、例外は中央部分７８４がその長さに沿い一定横断面であり、各端部に遷移部分７８６および７８８があり、これは減少する横幅を有するが一定高さを維持していることである。遷移部分７８６および７８８は端部分７９０および７９２と接合し、これらの端部分は以前の実施例の端部分６９０および６９２のように形成されている。他の点では、第８実施例は第７実施例と同じに形成されている。
【００３０】
ハウジング８２０の第９実施例は図２７Ａ−２７Ｄ内に示されておりかつ図８Ａ−８Ｃ内に示されているハウジング１２０と同様である。この実施例においては溝８２２の横断面は装着用ポスト（示されていない）受領のための開口８２４ａおよび８２４ｂの領域内を除き基本的に一定であり、上記領域では開口に合わせて拡大されている。この実施例においては、ハウジング８２０はその長手方向エッジ８３２および８３４内に側縁８９４、８９６および８９８により形成されている台形切抜き８２９を備えている。この実施例においては補強用凹部８１０がハウジングに沿いハウジングの長手方向に対して横にかつ多数箇所に備えられている。
【００３１】
ハウジング９２０の第１０実施例は図２８Ａ−２８Ｄ内に示されておりかつ図２７Ａ−２７Ｃ内に示されているハウジング８２０と同様である。この実施例においては溝９２２の横断面は装着用ポスト（示されていない）受領のための開口９２４ａおよび９２４ｂの領域内を除き基本的に一定であり、上記領域では開口に合わせて拡大されている。この実施例においては、ハウジング９２０はその長手方向エッジ９３２および９３４内に側縁９９４、９９６および９９８により形成されている台形切抜き９２９を備えている。この実施例においては、以前の実施例において凹部を形成したのに対して、ハウジング９２０の表面上に持ち上げられた補強用隆起９１０がハウジングに沿いハウジングの長手方向に対して横向きでかつ多数箇所に備えられている。
【００３２】
第１１実施例が図２９Ａ−３０内に描写されておりこれは第９および第１０実施例と同様であり、例外は長手エッジ１０３２および１０３４内の縁１０９４、１０９６および１０９８により形成されている切抜き１０９９の間のハウジング１０２０内に補強用隆起が無いことである。更に、リング部材５４を受けるための開口１０３２の頂部に小さい隆起１０３０があり、これはこの領域内に剛性を提供するためである。ハウジングに対する溝の比率は図２０ａ−２０Ｃ内に描写されている第６実施例と同じである。
【００３３】
第１２実施例は図３１−３７内に描写されている。この実施例においては、ハウジング１１２０は溝１１２２を備え、この溝は端部１１８０から端部１１８２へ変化する横断面を備えている。溝１１２２の中央部分１１８４は一定の箱形横断面を備え、この溝はハウジング１１２０の長さの約３／４だけ延びているが、中央部分の長さはハウジング１１２０の剛性に対する要望により変更可能であり、これは横断面形状の目的であるからである。遷移部分１１８６および１１８８で溝は継続的に横方向へ拡大する横断面を備えているが一定高さを保ち、各遷移部分はそれぞれ外側の一定箱形横断面端部１１９０および１１９２に接合している。中央部分１１８４、遷移部分１１８６および１１８８および端部１１９０および１１９２は、要望されるように、ハウジング１１２０の所望剛性を得るために長さおよび横断面を変更可能である。
【００３４】
上述の補強構造に加えて、この実施例の更なる形態はハウジング１１２０の長手方向エッジ１１３２および１１３４を通して側縁１１９４、１１９６および１１９８により形成された一連の概ね台形切抜き１１９９によりハウジングから実質的な量を除去することである。これらのカットはハウジング１１２０の剛性を減すが、上述の溝１１２２の横断面構造により補償され従って従来技術の器具より低減された材料使用でハウジング１１２０内に好適な構造上の剛性が提供され得る。更に、半円筒形横断面隆起１１１０がハウジング１１２０内に形成されその形はハウジング内の切抜き１１９９により形成されるパターンに従いハウジング１１２０に対して追加の剛性を加え、それは切抜きを形成するために材料を除去した結果である。更に、リング部材５４を受領する開口１１３１の頂部にその領域内に剛性を供給するために形成された小さい隆起１１３０がある。
【００３５】
またこの実施例においては、ヒンジプレート１１４０および１１４２は各ヒンジプレート内の長手方向エッジ１１０６および１１０８内の側縁１１００、１１０２および１１０４により形成されている概ね台形切抜き１１９７を備えている。これらの台形切抜き１１９７は例えば図３１および３３内に示されているように、ヒンジプレートがハウジング内に組み込まれた時、好ましくはハウジング１１２０内の対応する台形切抜き１１９９と整合される。
【００３６】
第１３実施例は図３８および３９内に描写されており、これは図３１−３７内に示された実施例と同様であり、例外はハウジング１１２０内に形成された隆起１１１０が除去されていることである。この実施例では、ハウジング１２２０が補強のために溝１２２２上に懸架している。上記実施例内で形成されていた台形切抜きはこの実施例のヒンジプレート１２４０および１２４２から除去されており従ってハウジング１２２０内に形成されている切抜き１２９９を通してストレートな側縁を見得る。更に、リング部材５４を受領する開口１２３２の頂部にその領域内に剛性を提供するために形成された小さい隆起１２３０がある。
【００３７】
図４０Ａ−４０Ｃは第１４実施例を示しており、これは図８Ａ−８Ｃ内に示されているものと同様であるが溝１３２２の横断面が逆であり従ってそれはハウジングの残部表面から下方へ延びかつ基本的には一定であり、例外としては装着用ポスト（示されていない）受領のための開口１３２４ａおよび１３２４ｂの領域では開口に合わせて拡大されている。この実施例においては、ハウジング１３２０もその長手方向エッジ１３３２および１３３４内で側縁１３９４、１３９６および１３９８により形成された台形切抜き１３２９を備えている。ヒンジプレート（示されていない）は第１実施例と同様に形成され得る。図４０Ｃ内に示されているように、溝１３２２の幅Ｄ１はハウジング１３２０の幅Ｄ２の約１／３でありかつ高さＨ１（またはこの例では深さ）はハウジング１３２０の高さＨ２の約１／４である。
【００３８】
本発明のリングバインダー機構の構成要素は、金属（例えば、スチール）のような好適な剛直材料で作られる。しかし、特にプラスチックを含む、非金属材料で作られた部品を有する機構も本発明の範囲から離れるものではない。
【００３９】
本発明の要素または好ましい実施例を紹介する時、用語“一つの”、“その”、および“上記の”は、そこに１または２以上の要素があることを意味していることが意図されている。用語“包含している”、“含んでいる”および“有している”は包括的でありかつリストされたよりも他の追加の要素もあり得ることを意味している。更に、“上方”および“下方”の使用およびこれらの用語の変形は便利のために作られるが、要素の特定な方向を要するものではない。
【００４０】
上述内において各種の変更が本発明の範囲から離れることなくなされ得るので、上述内に含まれる事項および添付図面内に示されていることの全ては例示的でありかつ限定的なものではないことが意図されている。
【図面の簡単な説明】
【００４１】
【図１】従来のリングバインダー機構を組み込んだノートブックの斜視図で本発明が利用され得る環境を示している。
【図２】本発明の機構の第１実施例の斜視図である。
【図３】図１の実施例の展開斜視図である。
【図４】閉塞されかつロックされた位置にある図１の機構の底部斜視図である。
【図５】開放位置にある機構の図２と同様な斜視図である。
【図６】開放位置にある機構の図４と同様な斜視図である。
【図７】図２内の７−７線方向に見た横断面図である。
【図８Ａ】本発明に従った第２実施例のハウジングの頂面図である。
【図８Ｂ】図８Ａ内に示されているハウジングの斜視図である。
【図８Ｃ】図８Ａ内の８−８線方向の横断面図である。
【図９】閉塞位置にある機構付きの本発明の機構の第３実施例の斜視図である。
【図１０】開放位置にある機構付きの図９と同様な斜視図である。
【図１１】閉塞されかつロックされた位置にある図９の機構の底部斜視図である。
【図１２】開放位置にある機構の図１１と同様な斜視図である。
【図１３】図９の実施例の展開斜視図である。
【図１４Ａ】本発明に従った第４実施例のハウジングの頂面図である。
【図１４Ｂ】図１４Ａ内に示されているハウジングの斜視図である。
【図１４Ｃ】図１４Ａ内の１４−１４線方向の横断面図である。
【図１５】閉塞位置にある機構付きの本発明の機構の第５実施例の斜視図である。
【図１６】開放位置にある機構付きの図１５と同様な斜視図である。
【図１７】閉塞されかつロックされた位置にある図１５の機構の底部斜視図である。
【図１８】開放位置にある機構の図１７と同様な斜視図である。
【図１９】図１５の実施例の展開斜視図である。
【図２０Ａ】本発明に従った第６実施例のハウジングの頂面図である。
【図２０Ｂ】図２０Ａ内に示されているハウジングの斜視図である。
【図２０Ｃ】図２０Ａ内の２０−２０線方向の横断面図である。
【図２１】閉塞位置にある機構付きの本発明の機構の第７実施例の斜視図である。
【図２２】開放位置にある機構の図２１と同様な斜視図である。
【図２３】閉塞されかつロックされた位置にある図２１の機構の底部斜視図である。
【図２４】開放位置にある機構の図２３と同様な斜視図である。
【図２５】図２１の実施例の展開斜視図である。
【図２６Ａ】本発明に従った第８実施例のハウジングの頂面図である。
【図２６Ｂ】図２６Ａ内に示されているハウジングの斜視図である。
【図２６Ｃ】図２６Ａ内の２６−２６線方向の横断面図である。
【図２７Ａ】本発明に従った第９実施例のハウジングの頂面図である。
【図２７Ｂ】図２７Ａ内に示されているハウジングの斜視図である。
【図２７Ｃ】図２７Ａ内の２７Ｃ−２７Ｃ線方向の横断面図である。
【図２７Ｄ】図２７Ａ内の２７Ｄ−２７Ｄ線方向の横断面図である。
【図２８Ａ】本発明に従った第１０実施例のハウジングの頂面図である。
【図２８Ｂ】図２８Ａ内に示されているハウジングの斜視図である。
【図２８Ｃ】図２８Ａ内の２８Ｃ−２８Ｃ線方向の横断面図である。
【図２８Ｄ】図２８Ａ内の２８Ｄ−２８Ｄ線方向の横断面図である。
【図２９Ａ】本発明に従った第１１実施例のハウジングの頂面図である。
【図２９Ｂ】図２９Ａ内に示されているハウジングの斜視図である。
【図２９Ｃ】図２９Ａ内の２９−２９線方向の横断面図である。
【図３０】開放位置にあるリング部材を示している本発明に従った第１１実施例の横断面図である。
【図３１】閉塞位置にある機構付きの本発明の機構の第１２実施例の斜視図である
【図３２】開放位置にある機構付きの図３１と同様な斜視図である。
【図３３】閉塞されかつロックされた位置にある図３１の機構の底部斜視図である。
【図３４】開放位置にある機構付きの図３３と同様な斜視図である。
【図３５】図３１の実施例の展開斜視図である。
【図３６Ａ】第１２実施例のハウジングの頂面図である。
【図３６Ｂ】図３６Ａ内に示されているハウジングの斜視図である。
【図３６Ｃ】図３６Ａ内の３６Ｃ−３６Ｃ線方向の横断面図である。
【図３６Ｄ】図３６Ａ内の３６Ｄ−３６Ｄ線方向の横断面図である。
【図３７】図３１内の３７−３７線方向の横断面図である。
【図３８】本発明の第１３実施例の頂面図である。
【図３９】図３８内に示されている実施例の斜視図である。
【図４０Ａ】本発明の第１４実施例のハウジングの頂面図である。
【図４０Ｂ】図４０Ａ内に示されているハウジングの斜視図である。
【図４０Ｃ】図４０Ａ内の４０−４０線方向の横断面図である。
【００４２】
全図面を通して対応する関連符号は対応する部分を指示している。
【符号の説明】
【００４３】
１        リングバインダー
３        ノートブック
７        前カバー
９        後カバー
２０      ハウジング
２２      溝
４０      ヒンジプレート
５２      リング
５４      リング部材
【図１】
2007062355.tif 000003
【図２】
2007062355.tif 000004
【図３】
2007062355.tif 000005
【図４】
2007062355.tif 000006
【図５】
2007062355.tif 000007
【図６】
2007062355.tif 000008
【図７】
2007062355.tif 000009
【図８Ａ】
2007062355.tif 000010
【図８Ｂ】
2007062355.tif 000011
【図８Ｃ】
2007062355.tif 000012
【図９】
2007062355.tif 000013
【図１０】
2007062355.tif 000014
【図１１】
2007062355.tif 000015
【図１２】
2007062355.tif 000016
【図１３】
2007062355.tif 000017
【図１４Ａ】
2007062355.tif 000018
【図１４Ｂ】
2007062355.tif 000019
【図１４Ｃ】
2007062355.tif 000020
【図１５】
2007062355.tif 000021
【図１６】
2007062355.tif 000022
【図１７】
2007062355.tif 000023
【図１８】
2007062355.tif 000024
【図１９】
2007062355.tif 000025
【図２０Ａ】
2007062355.tif 000026
【図２０Ｂ】
2007062355.tif 000027
【図２０Ｃ】
2007062355.tif 000028
【図２１】
2007062355.tif 000029
【図２２】
2007062355.tif 000030
【図２３】
2007062355.tif 000031
【図２４】
2007062355.tif 000032
【図２５】
2007062355.tif 000033
【図２６Ａ】
2007062355.tif 000034
【図２６Ｂ】
2007062355.tif 000035
【図２６Ｃ】
2007062355.tif 000036
【図２７Ａ】
2007062355.tif 000037
【図２７Ｂ】
2007062355.tif 000038
【図２７Ｃ】
2007062355.tif 000039
【図２７Ｄ】
2007062355.tif 000040
【図２８Ａ】
2007062355.tif 000041
【図２８Ｂ】
2007062355.tif 000042
【図２８Ｃ】
2007062355.tif 000043
【図２８Ｄ】
2007062355.tif 000044
【図２９Ａ】
2007062355.tif 000045
【図２９Ｂ】
2007062355.tif 000046
【図２９Ｃ】
2007062355.tif 000047
【図３０】
2007062355.tif 000048
【図３１】
2007062355.tif 000049
【図３２】
2007062355.tif 000050
【図３３】
2007062355.tif 000051
【図３４】
2007062355.tif 000052
【図３５】
2007062355.tif 000053
【図３６Ａ】
2007062355.tif 000054
【図３６Ｂ】
2007062355.tif 000055
【図３６Ｃ】
2007062355.tif 000056
【図３６Ｄ】
2007062355.tif 000057
【図３７】
2007062355.tif 000058
【図３８】
2007062355.tif 000059
【図３９】
2007062355.tif 000060
【図４０Ａ】
2007062355.tif 000061
【図４０Ｂ】
2007062355.tif 000062
【図４０Ｃ】
2007062355.tif 000063
【外国語明細書】
2007062355.tif 000064
2007062355.tif 000065
2007062355.tif 000066
2007062355.tif 000067
2007062355.tif 000068
2007062355.tif 000069
2007062355.tif 000070
2007062355.tif 000071
2007062355.tif 000072
2007062355.tif 000073
2007062355.tif 000074
2007062355.tif 000075
2007062355.tif 000076
2007062355.tif 000077
2007062355.tif 000078
2007062355.tif 000079
2007062355.tif 000080
2007062355.tif 000081
2007062355.tif 000082
2007062355.tif 000083
2007062355.tif 000084
2007062355.tif 000085
2007062355.tif 000086
2007062355.tif 000087
2007062355.tif 000088
2007062355.tif 000089
2007062355.tif 000090
2007062355.tif 000091
2007062355.tif 000092
2007062355.tif 000093
2007062355.tif 000094
2007062355.tif 000095
2007062355.tif 000096
2007062355.tif 000097
2007062355.tif 000098
2007062355.tif 000099
2007062355.tif 000100
2007062355.tif 000101
2007062355.tif 000102
2007062355.tif 000103
2007062355.tif 000104
2007062355.tif 000105
2007062355.tif 000106
2007062355.tif 000107
2007062355.tif 000108
2007062355.tif 000109
2007062355.tif 000110
2007062355.tif 000111
2007062355.tif 000112
2007062355.tif 000113
2007062355.tif 000114
2007062355.tif 000115
2007062355.tif 000116
2007062355.tif 000117
2007062355.tif 000118
2007062355.tif 000119
2007062355.tif 000120
2007062355.tif 000121
2007062355.tif 000122
2007062355.tif 000123
2007062355.tif 000124
2007062355.tif 000125
2007062355.tif 000126
2007062355.tif 000127
2007062355.tif 000128
2007062355.tif 000129
2007062355.tif 000130
2007062355.tif 000131
2007062355.tif 000132
2007062355.tif 000133
2007062355.tif 000134
2007062355.tif 000135
2007062355.tif 000136
2007062355.tif 000137
2007062355.tif 000138
2007062355.tif 000139
2007062355.tif 000140
2007062355.tif 000141
2007062355.tif 000142
2007062355.tif 000143